(57)【要約】      （修正有）【課題】除草剤を安定して噴霧することによって、人体への安全確保と、農作業による雑草除草の、極端なまでの労力の軽減、作物に対する除草剤の飛散防止および少量の除草剤で処理できる噴霧器、および、噴霧角度、噴霧速度、噴霧量等、噴霧パターンを、容易に変更可能な噴露器を提供する。【解決手段】農薬噴霧器のノズル先端に、工具なしで容易に脱着できる本除草剤安定噴霧器具を取り付ける。即ち、本噴露器具は農薬拡散を防止する透明な合成樹脂カバーと、金属で作った取りつけ口を、オネジ、メネジのねじ山に固定させるものである。【選択図】なし【特許請求の範囲】
【請求項１】
農薬噴霧器の噴霧ノズル先端に，脱着容易な除草剤安定噴霧器具を取り付けることを特徴とする。
【請求項２】
作物と作物の間に芽生えた雑草を、作物に悪影響を与えないで除草を可能にする、除草剤安定噴霧器具の発明
【発明の詳細な説明】
【技術分野】
【０００１】本発明は除草剤の拡散を防ぎ、作物の安全性を高めるために、農薬噴霧器のノズル先端に、発明された除草剤安定噴霧器具を取り付けるものである。
【背景技術】
【０００２】従来の噴霧器では、枯らそうとする雑草、駆除しようとする害虫や病原菌だけを、除草駆除することができず、農薬も多量に必要になると共に、作業者への農薬付着が著しく、環境汚染の原因ともなっている。また、従来の農薬飛散防止装置では、噴射角度が大きすぎ、農薬が放射状に飛び出すため、特に除草剤を作物の間で使用する場合には、作物のすぐ近くまで農薬を散布することは、作物に農薬付着の危険性があり、害を及ぼすこと大である。
【発明の開示】
【発明が解決しようとする課題】
【０００３】本発明の課題は、除草剤を安定して噴霧することによって、人体への安全確保と、農作業による雑草除草の、極端なまでの労力の軽減、作物に対する除草剤の飛散防止および少量の除草剤で処理できる噴霧器への提供である。また、噴霧角度、噴霧速度、噴霧量等、噴霧パターンによって、容易に脱着可能な器具を、提供するものである。
【課題を解決するための手段】
【０００４】上記課題を達成するためには、噴霧器のノズル先端に、脱着がたいへん楽な、除草剤安定噴霧器具を取り付けることにより、本発明が完成する。
本発明を使用すれば、作物のすぐ近くでも除草作業ができ、害虫駆除等に使用するならば、ねらいを定めた範囲だけを、的確に処理することができる。
【発明の効果】
【０００５】作物と作物の間にある雑草を的確に除草できるため、除草のための労力がたいへん省けると共に、除草剤の量も少量ですむ。【０００６】消毒にも活用できるため、駆除しようとする菌や害虫の農薬が少なくてすみ、環境汚染の減少につながる。【０００７】農薬の噴霧作業において、農薬の拡散が防止できるため、安全な作業が確保できる。即ち、めがね、マスク、手袋等も不用になってきた。また、風の日も噴霧作業が可能になった。
【発明を実施するための最良の形態】
【実施例１】
【０００８】使用ノズルは、噴出口先端から約９ｃｍの位置に約１６０度の曲がりをいれた直径１ｃｍ位のアルミニウム製の軽いものがよく、ノズルの長さは、噴出口先端から開閉レバーの握りまで入れた１００ｃｍ位が一般的で使いやすい。
【実施例２】
【０００９】なお、本除草剤安定噴霧器具は、薬剤を放射状に噴出する噴出口と、片手の指でワンタッチで出来る開閉レバーが必要である。
また、器具の取り付け位置は、噴出口の先端が、器具のふくらみが始まる所より、０・５〜１・５ｃｍ位  出して取り付けることが望ましい。
【産業上の利用可能性】
【００１０】本発明は、噴霧薬剤が比較的に、平行噴射するため、軽量なノズルを適度な長さで活用するならば、器具の側面を使って、作物の枝や葉をよけさせながら噴射することができ、器具の先端が内側に曲がっているため、内部でたれてきた薬剤も直接作物につきにくく、作物への除草剤付着の危険性が、著しく減少すると思われる。除草剤の危険性が心配な場合は、雑草だけに本器具をがぶせて噴霧しても、その目的を果たすことができる。【００１１】また、この器具を５〜６ｃｍ以下位の雑草に使用するならば、除草剤の一部が器具内でこもって霧状となり、雑草の葉の裏側にまで付着しやすくなるため、除草効果が更に高められると考えられる。【００１２】なお、本発明の器具は、作業者がその場で、用具を使わないで脱着できることから、農薬や使用目的に応じて、使い方を変更することができる。特に、大きな雑草を広範囲に処理する場合は、器具を取りはずして、目的を果たすこともできる。【００１３】風のある日の作物の間の除草剤噴霧は、除草剤が作物に付着するため作業ができなかったが、  少し位の風ならば可能となった。【００１４】    図１の７で示すように、器具本体に、薬剤逆流防止装置を付けたので、外に流れ出た薬剤が、ノズルを伝わって手に付着することがなくなり、安全性が高まった。
2005095843.tif 000002
2005095843.tif 000003
2005095843.tif 000004
【手続補正書】
【提出日】平成16年3月18日(2004.3.18)
【手続補正１】
【補正対象書類名】明細書
【補正対象項目名】全文
【補正方法】変更
【補正の内容】
【発明の詳細な説明】
【技術分野】
【０００１】本発明は除草剤の拡散を防ぎ、作物の安全性を高めるために、農薬噴霧器のノズル先端に、発明された除草剤安定噴霧器具を取り付けるものである。
【背景技術】
【０００２】従来の噴霧器では、枯らそうとする雑草、駆除しようとする害虫や病原菌だけを、除草駆除することができず、農薬も多量に必要になると共に、作業者への農薬付着が著しく、環境汚染の原因ともなっている。また、従来の農薬飛散防止装置では、噴射角度が大きすぎ、農薬が放射状に飛び出すため、特に除草剤を作物の間で使用する場合には、作物のすぐ近くまで農薬を散布することは、作物に農薬付着の危険性があり、害を及ぼすこと大である。
【発明の開示】
【発明が解決しようとする課題】
【０００３】本発明の課題は、除草剤を安定して噴霧することによって、人体への安全確保と、農作業による雑草除草の、極端なまでの労力の軽減、作物に対する除草剤の飛散防止および少量の除草剤で処理できる噴霧器への提供である。また、噴霧角度、噴霧速度、噴霧量等、噴霧パターンによって、容易に脱着可能な器具を、提供するものである。
【課題を解決するための手段】
【０００４】上記課題を達成するためには、噴霧器のノズル先端に、脱着がたいへん楽な、除草剤安定噴霧器具を取り付けることにより、本発明が完成する。
本発明を使用すれば、作物のすぐ近くでも除草作業ができ、害虫駆除等に使用するならば、ねらいを定めた範囲だけを、的確に処理することができる。
【発明の効果】
【０００５】作物と作物の間にある雑草を的確に除草できるため、除草のための労力がたいへん省けると共に、除草剤の量も少量ですむ。【０００６】消毒にも活用できるため、駆除しようとする菌や害虫の農薬が少なくてすみ、環境汚染の減少につながる。【０００７】農薬の噴霧作業において、農薬の拡散が防止できるため、安全な作業が確保できる。即ち、めがね、マスク、手袋等も不用になってきた。また、風の日も噴霧作業が可能になった。
【発明を実施するための最良の形態】
【０００８】  本除草剤安定噴霧器は噴霧器具の適合したノズルと開閉レバーとの接続によってはじめてその効果を発揮するものである。
【実施例１】
【０００９】使用ノズルは、噴出口先端から約９ｃｍの位置に約１６０度の曲がりをいれた直径１ｃｍ位のアルミニウム製の軽いものがよく、ノズルの長さは、噴出口先端から開閉レバーの握りまで入れた１００ｃｍ位が一般的で使いやすい。【００１０】なお、本除草剤安定噴霧器具は、薬剤を放射状に噴出する噴出口と、片手の指でワンタッチで出来る開閉レバーが必要である。
また、器具の取り付け位置は、噴出口の先端が、器具のふくらみが始まる所より、０・５〜１・５ｃｍ位  出して取り付けることが望ましい。
【実施例２】
【００１１】図２の器具の主要部分は、透明なプラスチックにし、ノズル取り付け部分は、力が掛かるので金属等で作るのがよく、１と合体できるようメネジにする。
１の主要部分の直径は１０ｃｍ位、長さはノズル取り付け部分までいれて１４ｃｍ位が最も使いやすいようである。【００１２】図３  ９は、いろいろな太さのノズルに対応できるように、４つ割りにし、５のバンドでノズルに巻きつけ、７の留めねじで９をしっかりとめる。
電気工事で使う融着テーぷで固定してもよい。
８の位置に、あらかじめ、ノズルを通せるように、穴を開けておく。
３と４に、器具本体とノズルの脱着が工具なしでも：簡単にできるよう、オネジ、メネジのねじ山をつける。
【産業上の利用可能性】
【００１３】本発明は、噴霧薬剤が比較的に、平行噴射するため、軽量なノズルを適度な長さで活用するならば、器具の側面を使って、作物の枝や葉をよけさせながら噴射することができ、器具の先端が内側に曲がっているため、内部でたれてきた薬剤も直接作物につきにくく、作物への除草剤付着の危険性が、著しく減少すると思われる。除草剤の危険性が心配な場合は、雑草だけに本器具をかぶせて噴霧しても、その目的を果たすことができる。【００１４】また、この器具を５〜６ｃｍ以下位の雑草に使用するならば、除草剤の一部が器具内でこもって霧状となり、雑草の葉の裏側にまで付着しやすくなるため、除草効果が更に高められると考えられる。【００１５】なお、本発明の器具は、作業者がその場で、用具を使わないで脱着できることから、農薬や使用目的に応じて、使い方を変更することができる。特に、大きな雑草を広範囲に処理する場合は、器具を取りはずして、目的を果たすこともできる。【００１６】風のある日の作物の間の除草剤噴霧は、除草剤が作物に付着するため作業ができなかったが、少し位の風ならば可能となった。【００１７】  図２の６で示すように、器具本体に、薬剤逆流防止装置を付けたので、外に流れ出た薬剤が、ノズルを伝わって手に付着することがなくなり、安全性が高まった。
【図面の簡単な説明】
【００１８】
【図１】発明器具実施の概略図である。
【図２】除草剤安定噴霧器具の概要図である。
【図３】図２の拡大図である。
【手続補正２】
【補正対象書類名】図面
【補正対象項目名】全図
【補正方法】変更
【補正の内容】
【図１】
2005095843.tif 000005
【図２】
2005095843.tif 000006
【図３】
2005095843.tif 000007